(57)【要約】【課題】シート横切断時及び次回切断時のナイフ入射角度を迅速に決定すること。シート切断装置の小型化。【解決手段】シートおよびナイフの走行速度に応じ、ナイフ入射角度を設定し、シート切断後シート他端側で所定の角度でナイフを回動せしめ、次回のナイフ入射角度を設定する。【選択図】図４
2004195618.tif 000002
【特許請求の範囲】
【請求項１】
走行する長尺のシートの一側端よりナイフを入れ、シート走行方向に対し横断する方向にナイフを定速度で走行させ、前記シートを他側端まで横切断する装置において、シート切断装置が、シートの走行速度およびナイフの走行速度に応じて、シート走行方向に対するナイフの入射角度を設定し、該ナイフの走行ストロークの最終に至った時点で、自動的にナイフを反転させ、再び該他側から、シート走行方向に対し、対称的に同一のナイフ入射角度で、逆方向にシートを横切断し、前記シートを反復横切断しうることを特徴とする走行シート横切断装置。
【請求項２】
シートの走行速度を検知し、該シート速度に応じて、ナイフの入射角度を自動的に設定する請求項１記載の走行シート横切断装置。
【請求項３】
ナイフの刃先角度が、シート平面に対し６０度ないし２０度である請求項１または請求項２記載の走行シート横切断装置。
【請求項４】
シート切断装置が、
シートを跨架、設置されるフレーム状の走行架台、該架台上に往復走行可能に配設される走行体、該走行体にシート面と垂直方向に回動可能に軸反されるナイフ支持体、ナイフ支持体軸に装着されるナイフ側回動係合体、および前記ナイフ支持体端に支持されるナイフ、
前記走行架台の両端に装着される回動原動機、および前記ナイフ側回動係合体と係合可能で、前記ナイフ支持体軸と平行軸回りに所定角度回動予能な回動原動機側係合体
ならびに前記架台に内設される走行信号検知装置、ナイフ回動角度設定装置および走行原動機
よりなる請求項１、請求項２または請求項３記載の走行シート横切断装置。
【発明の詳細な説明】
【０００１】
【発明の属する技術分野】
本発明は、紙、高分子フィルム、金属箔等に代表される長尺のシート状物を横切断する目的で装着される切断装置に関する。
【０００２】
【従来の技術】
従来の紙、高分子フィルム、金属箔等に代表される長尺のシートを横断方向に切断する手段は、数多く存在する（例えば、特許文献１、特許文献２、特許文献３参照。）。
特にシートに液体状塗料を塗布、乾燥する目的で設置される塗工機の分野で広く用いられている。塗工機とは、シートの巻取状物（以下巻取と称する）を塗工機内部に具備される繰出装置に装着し、シートを連続的に繰出し、液体状塗料をシート表面に塗布し、乾燥させ、巻取装置により前記シートを再び巻取る設備の総称である（例えば特許文献４、特許文献５参照。）。
従来の塗工機においては巻取の塗布、再巻取が完了すると共に、塗工機を一旦停止し、該巻取を取り外し、次に塗布する為の巻取りを繰出装置に装着し、再び塗工運転を再開するサイクルを繰返していたが、停止、始動を繰返すため、稼働率の低いことが問題であった。
しかしながら近年の技術の進歩により、繰出装置に予め次に塗布する巻取を装着しておき、旧巻取と新巻取とを自動的に糊貼りし繋ぐ事により、塗工機を停止することなく連続的に運転する事が可能となった。
また巻取装置は旧巻取の巻取りが完了した後、新巻取軸にシートを自動的に巻取る事が可能となり、大幅な稼働率の向上が達成されてきた（例えば特許文献４参照。）。
前述の連続運転の工程上、繰出部で、旧巻取と新巻取とはシートを糊貼りした時点で旧巻取のシートの後端をを切断する必要が発生する。また、巻取部でも新巻取軸に塗工後のシート巻取る為に、旧巻取軸へ走行するシートの後端を切断する事が必要である。このことは走行中のシートを切断することを意味しており、従来、走行中のシートに鋸刃状のナイフをシート全幅にわたり一気に押し込む事により、シートを切断することが通常行われている。しかしながら、前記切断方法は、シートの切断部がギザギザになっており、そのまま新巻取軸に切断されたシートの先端を巻込む事により、シートの先端の折れ、皺、不規則な重なり等が発生し、その上に引き続いて巻かれて行くシートには、先端巻込み不良の影響から凹凸の押え型が入り、平らな巻取とならず、相当量の製品にならないシートが発生し、歩留低下の大きな要因となっていた。また、繰出部においても、切断部のシートの切れ端が破れ、分離し、塗布部にその破片が入ることにより、塗布異常が発生し、やはり歩留低下の大きな要因となっており、これ等のトラブルの解決が問題となっていた（例えば特許文献２参照。）。
前述の問題を解決すべく、近年、走行中のシートを切断する方法として、ナイフをシート端部より横断方向に走行させる事により、走行ナイフによるシートを切断する方法が次第に普及されてきた。この方法は、シート切断部がギザギザでなく、直線状になっており、しかも一方のシート端部から他方の端部まで、シートの流れ方向に対して略直角三角状に切断される事から、切断されたシート先端は、新巻取軸に対して螺旋状に巻かれる事になる。
前記切断方法による巻取部での巻始め状態は、シートの折れ、重なり、皺等の発生が無く、その上に引続いて巻取られるシートも、下巻の影響を受けず、歩  向上に対して大きく貢献していることは公知の事実である（例えば特許文献１参照。）。
走行中のシートに対し横断方向にナイフを走行させ、シートを切断する手段で最も重要な事は、ナイフの走行速度を一定とした場合、走行シートに対するナイフの入射角度αである。（図５参照）。シート速度が一定と仮定した場合、例えば、ナイフの入射角度αがシート速度に対し合致せず、シート走行方向に対しナイフ入射角度αが９０度に近付く程、ナイフ側面は、走行シートに下流方向に押されて、ナイフに横方向の力が働く事になり、シート及びナイフにそれぞれ無理な力が印加され、シートの走行方向の破断又はナイフの折損のトラブルが発生する。またナイフ入射角度αが０度に近付く程、ナイフの横断走行の力により、ナイフでシートを幅方向へ破断することになり、またナイフの折損が発生することになる。即ちナイフの適正な入射角度αは、走行シートの速度とナイフの走行速度との両速度ベクトルにより決定される為、予めナイフの入射角度αを設定することは重要な要素である（例えば特許文献１、特許文献２参照。）。
従来の切断装置は、ナイフが横方向に走行し、切り始めのシート端から他方のシート端に到達した時点でシートの横切断は完了するが、その後ナイフ先端をシートに接触しない高さまで上昇させ、又は離隔し、シート上方の離れた位置で逆方向に横断移動し、切断前の旧位置に帰還せしめる必要があり、しかもこのナイフの帰還動作は、シートを切断しない無駄な動作であるにも拘らず、帰還動作のための設備の複雑化、大型化をもたらす原因となっており、製作コスト的にも高価なものになっている（例えば特許文献１、特許文献２、特許文献３参照。）。
【０００３】
【特許文献１】
特開平８−１５８２号公報（第１頁、第３頁、図１、図２、図３）
【特許文献２】
特開平７−２０６２３３号公報（第１頁、図１、図２、図３）
【特許文献３】
特開平５−３１８３８１号公報（第１頁、図１、図２）
【特許文献４】
特許第２９０４９７９号公報（第２頁）
【特許文献５】
特開２００１−１１４４５８号公報（第１頁）
【０００４】
【発明が解決しようとする課題】
特に塗工機の場合、１種類のシートのみ及び１種類の液体塗料のみを塗布する事は少なく、多種多用の条件下で運転する事が通常行われており、シート速度も前記条件に応じて著しく変化させる必要があり、その都度ナイフの入射角度を変化させなければならず、その調整に多大な時間を必要としており、迅速な入射角度決定が課題となっていた。
【０００５】
また前述の塗工機におけるシート繰出部及び巻取部は、設備の自動化と共に非常に複雑となっており、一般的に該両部におけるシート切断装置の設備スペースは、比較的狭く、従って切断装置自体の小型化が必要とされ、この小型化が課題となっている。
【０００６】
前述の如く、従来の切断装置は、ナイフが横方向に走行し、切断開始のシート端から他方シート端に到着した時点で帰還動作を必要とし、帰還動作のための設備の複雑化、大型化をもたらす原因となっており、この解決が課題となっていた。
【０００７】
【課題を解決するための手段】
前述の課題を解決する為、装置自体の動きを単純化すると共に、装置自体を小型化し、ナイフ入射角度調整に人手を要しない走行シート横切断装置を発明するに至った。
【０００８】
請求項１の発明では、走行シート横切断装置を、走行する長尺のシートの一側端よりナイフを入れ、シート走行方向に対し横断する方向にナイフを定速度で走行させ、前記シートを他側端まで横切断する装置において、シート切断装置が、シートの走行速度およびナイフの走行速度に応じて、シート走行方向に対するナイフの入射角度を設定し、該ナイフの走行切断ストロークの最終に至った時点で、自動的にナイフを反転させ、再び該他側端から、シート走行方向に対し、対称的に同一のナイフ入射角度で、逆方向にシートを横切断し、前記シートを反復横切断しうるという構成とした。
【０００９】
請求項２の発明では、シートの走行速度を検知し、該シート速度に応じて、ナイフの入射角度を自動的に設定するという構成を請求項１の発明に付加した。
【００１０】
請求項３の発明では、ナイフの刃先角度が、シート平面に対し６０度ないし２０度であるという構成を請求項１または請求項２の発明に付加した。
【００１１】
請求項４の発明では、シート切断装置が、シートを跨架設置されるフレーム状の走行架台、該架台上に往復走行可能に配設される走行体、該走行体にシート面と垂直方向に回動可能に軸支されるナイフ支持体、ナイフ支持体軸に装着されるナイフ側回動係合体、および前記ナイフ支持体端に支持されるナイフ、前記走行架台の両端に装着される回動原動機、および前記ナイフ側回動係合体と係合可能で、前記ナイフ支持体軸と平行軸回りに所定角度回動可能な回動原動機側係合体、ならびに前記架台に内設される走行信号検知装置、ナイフ回動角度設定装置および走行原動機よりなるという構成を請求項１、請求項２または請求項３の何れかの発明に付加する構成とした。
【００１２】
すなわち、一定速度で走行しているシートを横切断するシート横切断装置で、ナイフの横断速度を一定とする場合、請求項１に示すごとく、走行ナイフのシート走行方向に対する入射角度αを図５に示すごとく予め設定し、シートを横断する方向にシートの一端よりナイフを走行させ、反射側のシート端をナイフが通過し、ナイフ走行ストロークが最終点に到達した時点で、ナイフ入射角度αを請求項４に示すごときフレーム内等に具備されるナイフ回動角度設定装置により、ナイフを所定の角度、即ちシート走行方向に対して逆の対照角度αに回動反転させ、次回の逆方向に切断する入射角度αになるように保持し、次回切断時にその反転入射角度のまま逆方向に同一速度で走行させる事により、反転の度にナイフを昇降移動する装置を必要としない構成とした。
【００１３】
請求項４の示すごとく、ナイフ回動角度設定装置は、走行架台上をシート横断方向へ、往復走行しうる走行体に設けられた旋回可能なナイフ支持体に、ギヤ又はプーリのごときナイフ側回動係合体を具備し、走行架台の末端に具備されるギヤ又はプーリのごとき回動原動機側係合体を装着した固着された回動原動機とにより構成される。
回動原動機の回転により、ギヤ又はプーリの如き係合体を介して、ナイフを所定の逆方向の対称入射角度に旋回させる構成であるが、係合体として互に噛合するギヤのみならず、ベルト等を利用したナイフ回動の伝達手段の構成は、当然考慮しうる構成であり、本発明の構成に含まれるものである。即ち、前記ギアの組み合せに代え、ベルトを介するプーリの組合せとしてもよい。
【００１４】
ナイフの入射角度αの重要性について、更に説明を加え詳述する。
走行しているシートの進行方向に対して、横断走行するナイフでシートを横切断する方式では、図５に示すごとく、シートの走行速度Ａと横横走行するナイフ速度Ｂとの相関関係によりナイフ入射角度αが決定される。
この適正角度は一点の角度しかなく、次記計算式により算出する事ができる。
ｔａｎα=Ｂ／Ａ
従ってシート走行速度Ａに比べ、ナイフ速度Ｂが大である程入射角度αは９０度に近くなる。
【００１５】
シート速度に対するナイフ入射角度が適正値と合致しない場合、横走行するナイフと走行するシートとの間に、切断に供する力以外の力が働き、多くの場合シートの断裂又はナイフの折損の事故が生ずる結果となる。
特に走行しているシート側端に横走行するナイフが入る瞬間に、ナイフ入射角度が適正値と合致しない場合に、上記トラブル現象が顕著に発生するため、シート切断に対するナイフ入射角度は最も重要な要素である。
【００１６】
また、前述のごとく、塗工機の運転形態で、シート性状、塗料構成等の変化により、シート速度は一定ではなく、必要に応じ変化させねばならないから、近年ナイフ入射角度を一定とし、走行するシート速度信号を検出し、ナイフ速度を変化させることにより、トラブルの解消することが図られてきた。
【００１７】
しかしながら、走行に供するモータの速度制御が必要となり、多くはサーボモータ、変速モータ等の使用による速度制御設備及び駆動部の大型化、複雑な機構化がもたらされ、非常に高価な設備となっていた。
【００１８】
請求項２の発明は、ナイフを横行させる手段として、別設のエアシリンダ若しくは汎用モータのごとき走行原動機を使用し、ナイフの走行速度は一定速度としながら、ナイフの走行前にシートの走行速度信号を入力し、ナイフの入射角度を予め設定することにより、理想のの入射角度でシート切断する構成であり、請求項１の発明に付加する。
【００１９】
走行するシートの速度信号によりナイフの入射角度を予め設定する手段は、概して容易である。請求項１、請求項４に示すごとく、ナイフをシート面と垂直方向に軸支している旋回可能なナイフ支持体をシート速度信号より所定の角度に回動設定するものであり、回動原動機としては、小型モータが考えられるが、特にこれに限定するものではない。請求項４の発明では、ナイフの反転と入射角度設定は、駆動モータのごとき回動原動機とギア又はプーリのごとき係合体の係合のみで構成され、コンパクトに構成される。
【００２０】
ナイフでシートを切断する場合、ナイフ自体の刃先とシート面で構成される角度、即ち、図６に示すごとく、ナイフ角度βは重要である。
このナイフ角度βは、シート走行速度と横断するナイフ速度との両速度ベクトルの合成速度が大きい程、ナイフでシートを切断する量が大きくなる事から、切断力が最も大きくなる角度にすべきである。
【００２１】
通常、図６に示すごとく、シートの横切断に供するナイフ刃先角度βは、シート面に対し９０度より小さい角度であれば切断可能である。シート切断のメカニズムでは、シート面とナイフ刃先とで構成される角度βが小である程、シート切断力が増大する。
該切断力は、ナイフ刃先に対し直角に働くから、切断力をシート面に対して切断方向即ち角度βを小さい方向に持って行けば、切断力は増大するが、その分、刃先角βを小にすれば、刃先がシートを押し下げることになり、シート刃先より逃げることになり押し下げ分だけシートの切断ができないことになる。
【００２２】
発明者は、シートの切断と刃先角度βとの関係を鋭意研究し、テストを繰り返した結果、シート面に対し、刃先角度βが４５度から３０度のまでの間で最もシートの切断が良好になることを見出した。請求項３の発明の刃先角度βの範囲６０度ないし２０度の範囲は、前述の範囲を包含する切断良好の範囲を定めるものである。
【００２３】
【発明の実施の形態】
シート走行方向に対するナイフの入射角度αの重要性について更に説明を加え詳述する。
シートの走行方向に対し、横断走行するナイフでシートを切断する方式は、シート走行速度Ｃｖとシートを横断走行するナイフ速度Ｎｖとの相関関係によりナイフ入射角度αが決定される。
最適のナイフ入射角度αは一点しかなく、次式により算出できる。
ｔａｎα＝Ｃｖ／Ｎｖ・・・・(1)
【００２４】
シート走行方向に対するナイフ入射角度αが適正値に合致しない場合、横走行するナイフと走行するシートとの間では、シート切断に供する力以外の力が働き、多くの場合シートの断裂又はナイフの折損事故が生ずる結果となる。
特に走行しているシート端縁に横走行するナイフの刃が入る瞬間に、ナイフ入射角度αが適正値は合致しない場合に、前述のトラブル現象が顕著に発生するため、シート切断に際してのナイフ入射角度αは最も重要な要素である。また、段落０００４に述べたごとく、塗工機の運転状態でシート速度は一定ではなく、シート材質、塗料性状等により変化させるべきものであるから、近年ナイフ入射角度を一定とし、走行するシート速度信号を取り入れて、ナイフ走行速度を、前記シート速度信号に対応して、変化させる方式により、前述のトラブルの解消が図られてきた。しかし、この方式では、ナイフ走行に供するモータの速度制御が必要となり、多くの方式ではサーボモータ、変速モータ等の使用による速度制御設備及び駆動部の大型化複雑な機構となり、非常に高価な構成になってきた。
【００２５】
本発明においては、ナイフ走行速度を一定とする方式を採り、ナイフを  走行させる走行原動機として、エアシリンダ若しくは汎用モータを使用し、ナイフ走行機構の簡素化をはかり、一定速度でありながら、事前にシートの走行速度信号をとり入れ、該信号によりナイフの入射角度を設定することにより理想の入射角度でシートを切断するものであり、請求項２の発明で明示した。シートの種類等により、ナイフ走行速度を変更する場合は、それに応じて入射角度を設定し得ることは勿論である。
【００２６】
走行するシートの速度信号により、ナイフの入射角度を切断作動前に設定する手段としては、本発明においては、シート面と垂直方向に旋回可能なナイフ支持体を、シート速度信号により所定の角度に設定するものであり、回動原動機として、小型モータが考えられるが、特にモータに限定するものではない。請求項４の発明では、シート切断終了後のナイフの反転と入射角度の設定は、回動原動機として、例えば駆動モータを用い、ナイフ側と回動原動機側の係合手段として、ギア装置又はプーリ装置を用いるのみで構成され、コンパクトな構成となっている。
【００２７】
図１は、本発明の走行シート横切断装置を設置する実施例として、一般的な、シート７に塗料を塗布する塗工機構成と、該機におけるシート支持ロール１６の一部を省略して示したシート切断装置５、６の位置関係を示す略示側面図である。
【００２８】
図示塗工機にあっては、巻取られている長尺のシート７を連続的に繰り出す繰出部１と、シート７に液体塗料を塗布する塗工部２と、シート７を乾燥通過せしめるドライヤ３と、乾燥後のシート７を巻取る巻取部４とで構成される。
【００２９】
繰出側シート切断装置５は繰出部１に設けられ、巻取側シート切断装置６は巻取部４に設けられ、両シート切断装置５、６は、繰出部１および巻取部４における新旧巻取の交換時に、旧のシート７の後端を切断し、新巻取シートの先端を、繰出部１にあっては旧シートの後端に繋ぎ、巻取部４にあっては、新巻取軸につなぐ目的で装着される。
【００３０】
図２は、走行するシート７（走行方向矢印Ａ）と、シート切断装置５又は６との位置構成を示す実施例の斜視図である。シート７に対しシート切断装置５又は６は、略直角に配置され、シート７に対し、ナイフ１１は横断方向に走行し、シート７を横切断する。
【００３１】
図３は、シート７の走行側面から見たシート切断装置５又は６の実施例の拡大側面図である。また図４は、シート７の走行方向から見たシート切断装置５又は６の実施例の部分拡大立面図である。シート切断装置５又は６は、走行架台８と、該架台８上を、図中左右方向に、往復走行し得る走行体９及び該走行体９にシート７面と垂直方向に回動可能に軸支されたナイフ支持体１０とで構成される。
【００３２】
走行体９が、走行架台８上を、図中左右に移動すると共に、ナイフ支持体１０も左右に異動する。走行架台８には、ナイフ走行原動機を内設することが出来る。該走行原動機としては、走行駆動用の液体シリンダ装置、モータ等が考えられるが、ナイフ走行速度を調節可能な、直線運動を目的とする駆動装置であれば、これに限定するものではない。
【００３３】
ナイフ１１は、ナイフ支持体軸１３周りに旋回回動可能なナイフ支持体１０に保持され、前記ナイフ支持体軸１３上には、ナイフ側回動係合体であるナイフ側ギア１２が装着されている。
【００３４】
図４および図６によりナイフ入射角度αについて説明する。ナイフ側回動係合体であるナイフ側ギア１２は、ナイフ走行体９がシート７の側端に到達した位置で、走行架台８の両端に装着される固定された回動原動機である回動モータ１５の軸上に装着されるモータ側ギア１４に噛合される。噛合されると、回動モータ１５の回動により、ナイフ１１を所定の角度になるまで、ナイフ支持体１０を回動させる。
【００３５】
回動モータ１５は、ナイフ１１の回動の一手段であり、回動原動機としては、その他電気式や流体圧式の回動装置等が考えられるが、特にこれに限定するものではない。ナイフ１１の走行端で、回動モータ１５の回動によりナイフ１１が回動し、同時に逆方向走行の為、所定の入射角度αに設定され、次の逆方向への切断まで待機する状態で静止する。
【００３６】
図７のナイフ回動線図について説明する。別設のシート走行速度検出装置からのシート走行速度信号が走行信号検知装置に入力され、該検知装置の出力信号とナイフ架台端にナイフが到達したことを知らせるナイフ到達信号（即ち係合体係合信号）がナイフ回動角度設定装置に入力され、該設定装置よりの指令信号が、回動原動機に入力され該原動機が回動し、回動原動機側係合体を介してナイフ側回動係合体が回動し、ナイフが所定入射角度位置まで回動される。
【００３７】
本発明の走行シート横切断装置による切断を実施した結果、下記の結果が得られた。
テスト条件：走行するシートに対し、シート切断装置をシートを横断する方向に設置し、異なるシート走行速度下でのシート切断を実施した。
【００３８】
【表１】
2004195618.tif 000003
【００３９】
上記テストの結果、計算上の理想角度での切断となり、切断状況は何れも良好であった。従来の切断方法はナイフの入射角度が固定されており、各シート走行速度と合致していない為、シートの切口も悪く、切断に失敗することもあった。
【００４０】
【発明の効果】
請求項１の発明では、シートの走行速度およびナイフの走行速度に応じて、シート走行方向に対するナイフ入射角度を設定することにより、ナイフによる走行シートの切断状況が良好となり、ナイフの往路、復路共にシート切断が可能となり、切断作業をしないナイフの無駄な帰還装置を不要とし、設備が小型化され、設置コストが低下され、走行するシートの切断が確実に実施可能となり、製品の歩留とシート切断装置を取付けた塗工機等の作業機械の稼働率が大幅に改善された効果を奏する。またシート切断ストロークの最路時点でナイフを所定角度回動することによりシート切断装置の小型化の実現可能とする効果を奏する。
【００４１】
請求項２の発明では、シート走行速度に応じてナイフの入射角度を自動的に設定することにより、ナイフ入射角度の設定が迅速、確実となり、シートの歩留の向上と作業機械の稼働率の向上が一段と可能となる効果を奏する。
【００４２】
請求項３の発明では、ナイフの刃先角度を所定角度範囲とすることにより、シート横切断作業が確実となり、シートの歩留と作業機械の稼働率との向上が更に向上する効果を奏する。
【００４３】
請求項４の発明では、シート切断装置小型化が実施可能となり、各種のシート切断作業機械に装着可能となり、更に巻取の交換以外のシートの連続切断作業の完全自動化も可能となり、切断されるシートの歩留と作業機械の稼働率との向上に測り知れない効果を奏する。
【図面の簡単な説明】
【図１】シート切断装置の位置関係実施例を示す塗工機の略示側面図である。
【図２】シート切断装置とシートとの取付関係実施例を示す部分拡大斜視図である。。
【図３】走行架台端より見たシート切断装置実施例の拡大側面図である。
【図４】走行架台側面より見たシート切断装置実施例の部分拡大立面図である。
【図５】ナイフ入射角度説明図である。
【図６】ナイフ刃先角度説明図である。
【図７】ナイフ回動線図である。
【符号の説明】
１  繰出部
２  塗工部
３  ドライヤ
４  巻取部
５  繰出側シート切断装置
６  巻取側シート切断装置
７  シート
８  走行架台
９  走行体
１０  ナイフ支持体
１１  ナイフ
１２  ナイフ側ギア（ナイフ側係合体）
１３  ナイフ支持体軸
１４  モータ側ギア（モータ側係合体）
１５  回動モータ
１６  支持ロール
Ａ  シート走行方向
Ｂ  ナイフ走行方向
α  ナイフ入射角度
β  ナイフ刃先角度
【図１】
2004195618.tif 000004
【図２】
2004195618.tif 000005
【図３】
2004195618.tif 000006
【図４】
2004195618.tif 000007
【図５】
2004195618.tif 000008
【図６】
2004195618.tif 000009
【図７】
2004195618.tif 000010